(57)【特許請求の範囲】
【請求項１】
扉の内外壁面にそれぞれ配置される取付座の蝶着軸に基端を回動可能に軸着させて取り付けられるプルハンドルまたはプッシュハンドルと、前記扉の縦框に開口した埋込溝に配置されて前記各プッシュプルハンドルの開閉操作によりラッチが出没して前記扉を施解錠する錠本体とを有するプッシュプル錠の施錠装置であって、
前記内壁面に配置されている取付座に設けた内側施錠機構と、
前記外壁面に配置されている取付座に設けた外側施錠機構と、
前記内側施錠機構と前記外側施錠機構とを連動させる連結部材と、
を含んで構成され、
前記内側施錠機構は、
前記内壁面の取付座に軸着させたプルハンドルにおける軸着部裏面に形成した凹部または凸部からなる第１係止部に、前記プルハンドルが閉止状態のときに係止し、該プルハンドルが開放状態になると前記第１係止部から離脱する、凸部または凹部からなる第２係止部を有するとともに、当該取付座から露出した操作摘の操作により前記第２係止部の係止位置と離脱位置とに移動可能な操作片と、
該操作片を前記離脱位置に向け付勢する付勢部材と、
を備え、
前記外側施錠機構は、
前記外壁面の取付座に軸着させたプッシュハンドルにおける軸着部裏面に形成した規制面と、
当該取付座において前記規制面位置に挿脱可能に配設され、挿入位置で前記規制面に当接して前記プッシュハンドルの開操作を規制する規制板と、
を備え、
前記連結部材は、
前記操作片が係止位置となるときに前記規制板が挿入位置となるように前記操作片と前記規制板とを連動させる
ことを特徴とする施錠装置。
【請求項２】
前記連結部材は、
前記扉の縦框に開口した埋込溝を貫通させて、両端を前記内外壁面の取付座に軸着させた連結軸と、
前記連結軸の両端にそれぞれ設けられ、前記操作片と前記規制板に偏心軸をそれぞれ軸着させた一対の偏心カムと、
を含んで構成される請求項１記載の施錠装置。
【請求項３】
前記連結部材は、
前記連結軸の軸端が前記外壁面の取付座に露出しているとともに該軸端に回転操作具用の操作溝が形成されている請求項２記載の施錠装置。
【発明の詳細な説明】
【０００１】
【発明の属する技術分野】
本発明は、プッシュプル錠の施錠装置に関するものである。
【０００２】
【従来の技術】
従来、回転式のハンドル錠のように開閉時にハンドルを回転させることなく、ハンドルを扉の開閉方向に押すか或いは引くだけの操作で済むことからプッシュプル錠がハンドル錠に代わって用いられており、玄関などだけでなく浴室など室内の扉にも用いられるようになってきている。
【０００３】
そして、施錠装置として内側から開閉が可能なサムターンが用いられていた。
【０００４】
しかしながら、通常、サムターンの開閉操作は小型のハンドルを摘んで回転させるものであり、操作がし難いという欠点があり、殊に、最近のマンションやホテルなどでは室内に窓などの開口部が無い場合があり、例えば停電のときなどに施錠した室内が真っ暗になり、サムターンの位置を探して解錠することが困難で、パニックに陥る心配がある。
【０００５】
【発明が解決しようとする課題】
本発明はこのような実情に鑑みてなされたものであり、室内側から室外側のハンドルを施錠可能にするとともに、室内側のハンドルを開方向へ操作するだけで、室外側のハンドルを解錠可能なプッシュプル錠の施錠装置を提供するものである。
【０００６】
【課題を解決するための手段】
そこで、本発明は、扉の内外壁面にそれぞれ配置される取付座の蝶着軸に基端を回動可能に軸着させて取り付けられるプルハンドルまたはプッシュハンドルと、前記扉の縦框に開口した埋込溝に配置されて前記各プッシュプルハンドルの開閉操作によりラッチが出没して前記扉を施解錠する錠本体とを有するプッシュプル錠の施錠装置として、前記内壁面に配置されている取付座に設けた内側施錠機構と、前記外壁面に配置されている取付座に設けた外側施錠機構と、前記内側施錠機構と前記外側施錠機構とを連動させる連結部材と、を含んで構成され、前記内側施錠機構は、前記内壁面の取付座に軸着させたプルハンドルにおける軸着部裏面に形成した凹部または凸部からなる第１係止部に、前記プルハンドルが閉止状態のときに係止し、該プルハンドルが開放状態になると前記第１係止部から離脱する、凸部または凹部からなる第２係止部を有するとともに、当該取付座から露出した操作摘の操作により前記第２係止部の係止位置と離脱位置とに移動可能な操作片と、該操作片を前記離脱位置に向け付勢する付勢部材と、を備え、前記外側施錠機構は、前記外壁面の取付座に軸着させたプッシュハンドルにおける軸着部裏面に形成した規制面と、当該取付座において前記規制面位置に挿脱可能に配設され、挿入位置で前記規制面に当接して前記プッシュハンドルの開操作を規制する規制板と、を備え、前記連結部材は、前記操作片が係止位置となるときに前記規制板が挿入位置となるように前記操作片と前記規制板とを連動させることを特徴とした施錠装置を提案する。
【０００７】
この施錠装置によると、内壁面の取付座に設けられた操作片を、付勢部材の付勢力に抗して、第２係止部が第１係止部に係止する係止位置（施錠位置）に移動させることで、内側施錠機構を施錠状態にすると、連結部材を介して外側施錠機構の規制板が挿入位置となって、施錠状態になる。
【０００８】
そして、扉の内壁面に配置されたプルハンドルを引くと、第２係止部が第１係止部から離脱し、付勢部材による付勢力により操作片が離脱位置（解錠位置）に復帰し、これに伴い、連結部材を介して外側施錠機構の規制板が挿入位置から脱出して解錠するので、扉が開放する。
【０００９】
また、外側施錠機構が、外壁面の取付座に軸着させたプッシュハンドルにおける軸着部裏面に形成した規制面と、当該取付座において前記規制面位置に挿脱可能に配設され、挿入位置で前記規制面に当接してプッシュハンドルの開操作を規制する規制板と、を備えた簡単な機構で、確実に扉の外壁面側に配置されるプッシュハンドルを施解錠することができる。
【００１０】
更に、連結部材が、扉の縦框に開口した埋込溝を貫通させて、両端を扉の内外壁面の取付座に軸着させた連結軸と、該連結軸の両端にそれぞれ設けられ、操作片と規制板に偏心軸をそれぞれ軸着させた一対の偏心カムと、を含んで構成される場合には、前記両施錠機構が確実に連動する。また、その連結軸の軸端が扉の外壁面の取付座に露出しているとともに該軸端に回転操作具用の操作溝が形成されている場合には、非常の場合などに外側から施錠状態を解除することもできる。
【００１１】
【発明の実施の形態】
次に、本発明の実施の形態を図面に基づいて説明する。
【００１２】
図面は、室内側にプルハンドル１を、室外側にプッシュハンドル２を配置した場合の本発明の実施の形態の一例を示すものである。それぞれ硬質合成樹脂製の板状に形成されるプルハンドル１およびプッシュハンドル２は、室内側へと開放する扉３の内壁面３１と外壁面３２とにそれぞれ配置した金属製または硬質合成樹脂製の取付座本体４１，５１と硬質の合成樹脂製のカバー４２，５２とからそれぞれ構成される取付座４，５に、蝶着されている。
【００１３】
更に、詳しく説明すると、プルハンドル１およびプッシュハンドル２は、取付座本体４１，５１にそれぞれ上下方向に設けられた蝶着軸４３，５３に、硬質合成樹脂製のプルハンドル軸着部１１およびプッシュハンドル軸着部２１を介して軸着されている。
【００１４】
また、蝶着軸４３，５３には、扉３の縦框３３に形成された掘込溝３４内に突出したプルアーム４４およびプッシュアーム５４が軸着されており、これらのプルアーム４４およびプッシュアーム５４が、前記縦框３３に沿って掘込溝３４に取り付けた錠本体６に収装されたラッチボルト６１に係合している。
【００１５】
そして、プルハンドル１を引くか、またはプッシュハンドル２を押すと、プルハンドル軸着部１１またはプッシュハンドル軸着部２１を介してプルアーム４４またはプッシュアーム５４が復帰バネ４５，５５の付勢力に抗して回動する。この回動するプルアーム４４またはプッシュアーム５４が、ラッチボルト６１を引いてラッチ６２を前板６３から没入させることにより、該ラッチ６２が扉枠に取り付けたストライク（図示せず）から後退して施錠状態を解除して扉を開閉できるものである。
【００１６】
更に、本実施の形態では、プルハンドル１側に内側施錠機構７が、プッシュハンドル２側に外側施錠機構８が設けられているともに、内側施錠機構７と外側施錠機構８とを連動させる連結部材９が設けられている。
【００１７】
そして、内側施錠機構７は、プルハンドル１における軸着部１１裏面に形成した凹部からなる第１係止部７１に、プルハンドル１が閉止状態のときに係止し、プルハンドル１が開放状態になると第１係止部７１から離脱する、凸部からなる第２係止部７２を上部に有するとともに、操作摘７３を取付座４のカバー４２に形成した窓孔４６から露出させた操作片７４と、この操作片７４を、常時は前記離脱位置に留めておくために付勢するコイルバネである付勢部材７５とからなる。
【００１８】
また、外側施錠機構８は、プッシュハンドル２の軸着部２１裏面に形成した規制面８１と、プッシュハンドル２の取付座５において上下方向に移動することにより、規制面８１位置に挿脱可能に配設された規制板８２とからなる。
【００１９】
更に、内側施錠機構７と外側施錠機構８とを連動させる連結部材９は、扉３の縦框３１に開口した埋込溝３４を貫通させて、両端９１および９２を、扉３の内外壁面３１，３２にそれぞれ配置された取付座本体４１，５１に軸着させた連結軸９３を備えている。そして、連結軸９３の両端に一対の偏心カム９４，９５がそれぞれ設けられており、これらの偏心カム９４，９５の偏心軸９６，９７が、内側施錠機構７の操作片７４および外側施錠機構８の規制板８２にそれぞれ設けられたカム孔７６およびカム溝８３に挿入されている。
【００２０】
尚、連結軸９３の軸端は、扉３の外壁面３２に配置した取付座５に露出しているとともに、該軸端には、回転操作具（図示せず）用の操作溝９８が形成されている。
【００２１】
このような施錠装置は、常時は解錠状態にあり、室外側からプッシュハンドル２を押すことにより、或いは室内側からプルハンドル１を引くことにより、扉を自由に開閉できる。室内側に入った人が施錠するには、室内側に配置されている取付座４に露出している操作摘７３を摘んで、操作片７４を付勢部材７５に抗して上方へ移動させ、凸部からなる第２係止部７２を、プルハンドル１における軸着部１１裏面に形成した凹部からなる第１係止部７１に係止させる。
【００２２】
このとき、操作片７４の上方への移動に伴い、操作片７４に形成したカム孔７６に係止した偏心軸９６が上方へ向けて回転し、偏心カム９４を介して連結軸９３が回転する。従って、連結軸９３のプッシュハンドル２側に設けられている偏心カム９５が回転して偏心軸９６が上方へ向けて回転し、係合しているカム溝８３を介して規制板８２を上方へと移動させる。これにより、規制板８２の上部が、プッシュハンドル２の軸着部２１裏面に形成した規制面８１と当接する挿入位置へ移動し、プッシュハンドル２の開閉動作が規制されて施錠状態を形成する。
【００２３】
従って、外側からプッシュハンドル２を押しても、規制板８２がプッシュハンドル２の軸着部２１裏面に形成した規制面８１と当接して回動を阻止するので、扉３は開けることができない。
【００２４】
一方、内側から施錠状態を解除して扉３を解錠するには、プルハンドル１を引けばよい。即ち、プルハンドル１を引くと、プルハンドル１の軸着部１１裏面に形成した第１係止部７１と操作片７４に設けた第２係止部７２との係合が解除されるので、操作片７４が付勢部材７５の付勢力によって元の離脱位置に復帰する。
【００２５】
これに伴い、連結軸９３が前記施錠時と逆の方向に回転し、規制板８２が下方の元の位置に復帰する。規制板８２が規制面位置から脱出することにより、プッシュハンドル２の軸着部２１裏面に形成した規制面８１との当接状態が解除され、プッシュハンドル２の規制が解除される。従って、プッシュハンドル２を押せば、ラッチボルト６１が引かれてラッチ６２が前板６３から没入し、扉枠に取り付けたストライク（図示せず）から後退して扉を開閉できるものである。
【００２６】
このように、本実施の形態は、室内側に配置された取付座４に露出している操作摘７３を摘んで操作片７４を施錠位置に移動させるだけで、室外側のハンドル２を簡単且つ確実に施錠することができる。一方で、従来のようにサムターンを回転する等の操作をすることなしにプルハンドル１を引くだけで、室外側のハンドル２を解錠して扉３の解錠を行えるので、操作が簡単であることは言うまでもなく、特に、例えば停電などのような暗闇や緊急時にも慌てることがない。
【００２７】
加えて、施錠時に室内側からプルハンドル１を操作できない緊急時には、前記連結軸９３の軸端に形成されて取付座５に露出している操作溝９８に、ドライバーやコインなどの回転操作具（図示せず）を差し込んで、連結軸９３を強制的に回転させることにより、操作片７４を元の離脱位置に復帰させるとともに規制板８２も元の解錠位置に復帰させることができ、プッシュハンドル２の軸着部２１裏面に形成した規制面８１との当接を解除することにより外側から扉３を簡単に開けることができる。
【００２８】
尚、本実施の形態は、室内側にプルハンドル１を室外側にプッシュハンドル２を配置した場合を示したが、逆に室内側にプッシュハンドル２を室外側にプルハンドル１を配置した場合にも同様に実施することができる（図示せず）。
【００２９】
【発明の効果】
以上のように本発明によると、室内側から室外側のハンドルを施錠可能にするとともに、室内側のハンドルを開方向へ操作するだけで室外側のハンドルを解錠可能なプッシュプル錠の施錠装置を提供するものである。 従って、停電による暗転や緊急時にあっても、通常のハンドルを引くだけの簡単な開放操作で解錠して扉を開けることが可能で、きわめて便利で安全である。
【図面の簡単な説明】
【図１】本発明の好ましい実施の形態の一例を示す縦断面図。
【図２】図１のＡ−Ａ線に沿う断面図。
【図３】図１のＢ−Ｂ線に沿う断面図。
【図４】図１のＣ−Ｃ線に沿う断面図。
【図５】図１のＤ−Ｄ線に沿う断面図。
【図６】図１に示した実施例の解錠状態を示す分解斜視図。
【図７】図１に示した実施例の施錠状態を示す分解斜視図。
【図８】図１に示した実施例の要部を示す部分斜視図。
【符号の説明】
１ プルハンドル、２ プッシュハンドル、３ 扉、４ 取付座、５ 取付座、６ 錠本体、７ 内側施錠機構、８ 外側施錠機構、９ 連結部材、 １１ 軸着部、２１ 軸着部、３３ 縦框、３４ 埋込溝、４３ 蝶着軸 ５３ 蝶着軸
６２ ラッチ、７１ 第１係止部、７２ 第２係止部、７３ 操作摘、７４ 操作片、７５ 付勢部材、８１ 規制面、８２ 規制板、９３ 連結軸、９４ 偏心カム、９５ 偏心カム、９８ 操作溝
【図１】
0004235443.tif 000002
【図２】
0004235443.tif 000003
【図３】
0004235443.tif 000004
【図４】
0004235443.tif 000005
【図５】
0004235443.tif 000006
【図６】
0004235443.tif 000007
【図７】
0004235443.tif 000008
【図８】
0004235443.tif 000009